(57)【要約】【課題】ハウジング及び金型の構造を簡素化する。【解決手段】ハウジング２０は端子金具４０を挿入可能な複数のキャビティ２１を有する。ハウジング２０には一枚の金属板からなるバスバー６０が装着される。バスバー６０は、各キャビティ２１内に正規挿入された端子金具４０に接続され、これら端子金具４０同士を短絡状態となすものである。そして、バスバー６０は、各キャビティ２１内に正規挿入された端子金具４０を抜け止め状態に係止する撓み可能な弾性係止片６３を有している。【選択図】図１
2013254596.tif 000002
【特許請求の範囲】
【請求項１】
端子金具が挿入可能な複数のキャビティを有するハウジングと、
前記ハウジングに装着される一枚の金属板からなり、前記各キャビティ内に正規挿入された前記端子金具に接続され、これら端子金具同士を短絡状態となすバスバーとを備えたジョイントコネクタであって、
前記バスバーは、前記各キャビティ内に正規挿入された端子金具を抜け止め状態に係止する撓み可能な弾性係止片を有していることを特徴とするジョイントコネクタ。
【請求項２】
前記ハウジングには、前記弾性係止片とその撓み方向で対向する位置に検知片が装着され、前記端子金具が前記キャビティ内に半挿入状態で置かれた場合には、撓み状態にある前記弾性係止片が前記検知片と接触して検知回路が閉成され、前記端子金具が前記キャビティ内に正規挿入された場合には、撓み状態を解除した前記弾性係止片が前記検知片から離間して検知回路が開成されることを特徴とする請求項１記載のジョイントコネクタ。
【請求項３】
前記ハウジングには、前記バスバー及び前記検知片がそれぞれ装着されるバスバー装着部及び検知片装着部が開口して形成され、且つ前記バスバー装着部と前記検知片装着部との間に、樹脂部が介在していることを特徴とする請求項１又は２記載のジョイントコネクタ。
【発明の詳細な説明】
【技術分野】
【０００１】
本発明は、ジョイントコネクタに関する。
【背景技術】
【０００２】
特許文献１には、従来のジョイントコネクタが開示されている。これは、複数のキャビティを有するハウジングと、ハウジングに前方から装着される一枚の金属板からなるバスバーとを備えている。バスバーには、各キャビティ内に前方から進入する複数のタブが並列して形成されている。また、ハウジングの各キャビティの内壁には、撓み可能なランスが突出して形成されている。
【０００３】
ハウジングの各キャビティ内には、後方から端子金具が挿入される。各キャビティ内に正規挿入された端子金具は、各タブに電気的に接触することによりバスバーを介して互いに短絡され、且つランスに弾性的に係止されてハウジングに抜け止め保持されるようになっている。
【先行技術文献】
【特許文献】
【０００４】
【特許文献１】特開２０１０−４０２６３号公報
【発明の概要】
【発明が解決しようとする課題】
【０００５】
上記の場合、ハウジングにランスが形成される分、ハウジング及びそのハウジングを成形する金型の構造が複雑になるという事情がある。
【０００６】
本発明は上記のような事情に基づいて完成されたものであって、ハウジングの構造等を簡素化することを目的とする。
【課題を解決するための手段】
【０００７】
本発明のジョイントコネクタは、端子金具が挿入可能な複数のキャビティを有するハウジングと、前記ハウジングに装着される一枚の金属板からなり、前記各キャビティ内に正規挿入された前記端子金具に接続され、これら端子金具同士を短絡状態となすバスバーとを備えたジョイントコネクタであって、前記バスバーは、前記各キャビティ内に正規挿入された端子金具を抜け止め状態に係止する撓み可能な弾性係止片を有しているところに特徴を有する。
【発明の効果】
【０００８】
本発明によれば、バスバーの弾性係止片によって端子金具がキャビティ内に抜け止めされるため、ハウジングからランスを省略することができる。その結果、ハウジング及びそのハウジングを成形する金型の構造が簡素化される。
【図面の簡単な説明】
【０００９】
【図１】本発明の実施例１のジョイントコネクタの断面図である。
【図２】図１のＡ−Ａ断面図である。
【図３】図１のＢ−Ｂ断面図である。
【図４】端子金具がキャビティ内に半挿入状態で留め置かれ、撓み状態にある弾性係止片が検知片と接触して検知回路が閉成された状態をあらわす断面図である。
【発明を実施するための形態】
【００１０】
本発明の好ましい構成は次の通りである。
ハウジングには、弾性係止片とその撓み方向で対向する位置に検知片が装着され、端子金具がキャビティ内に半挿入状態で置かれた場合には、撓み状態にある弾性係止片が検知片と接触して検知回路が閉成され、端子金具がキャビティ内に正規挿入された場合には、撓み状態を解除した弾性係止片が検知片から離間して検知回路が開成される。これにより、端子金具の挿入状態を簡単な構成で知ることができる。
【００１１】
ハウジングには、バスバー及び検知片がそれぞれ装着されるバスバー装着部及び検知片装着部が開口して形成され、且つバスバー装着部と検知片装着部との間に、樹脂部が介在している。かかる樹脂部によって、バスバー及び検知片が不用意に短絡するのが回避され、且つハウジング内への水の浸入が阻止される。
【００１２】
＜実施例１＞
本発明の実施例１を図１〜図４によって説明する。実施例１のジョイントコネクタ１０は、ハウジング２０とバスバー６０と検知片８０とを備えている。
【００１３】
ハウジング２０は合成樹脂製であって、図２に示すように、複数のキャビティ２１を有している。各キャビティ２１は、前後方向に貫通する形態であって、幅方向に並列して配置されている。各キャビティ２１の後部は、前部側よりも拡径され、その内部に後述するゴム栓９０が挿入されるようになっている。各キャビティ２１の両側壁には、前後方向に延びる一対の案内溝２２が形成されている。両案内溝２２の後端は後方に開放され、両案内溝２２の前端は幅方向の段差２３で仕切られている。そして、各キャビティ２１の内壁には、従来におけるランスが形成されていない。
【００１４】
ハウジング２０の各キャビティ２１内には後方から端子金具４０が挿入される。端子金具４０は、導電性の金属板を曲げ加工等して成形され、図１に示すように、筒状の接続部４１と、接続部４１の後方に位置するオープンバレル状のバレル部４２、４３とを備えている。接続部４１内には、撓み可能な舌片４４が配置されている。舌片４４は、接続部４１の上板４５の前端から後方へ折り返された形態とされている。接続部４１の下板４６の内側壁には、舌片４４と対向する位置に、前後方向に延びる受け部４７が内側に突出して形成されている。また、接続部４１の下板４６の外側壁には、係止孔４８が貫通して形成されている。さらに、図２に示すように、接続部４１の両側板４９には、一対のスタビライザ５１が外側に突出して形成されている。ハウジング２０のキャビティ２１に端子金具４０が挿入される場合に、端子金具４０が正しい挿入姿勢をとっていると、両スタビライザ５１が両案内溝２２に後方から挿入され、且つ端子金具４０の挿入過程では両スタビライザ５１が両案内溝２２の溝面を摺動して、端子金具４０の挿入動作が案内されるようになっている。さらに、端子金具４０がキャビティ内に正規挿入されると、両スタビライザ５１が両案内溝２２の段差２３に当接可能に配置される。一方、端子金具４０が不正な姿勢をとっていると、両スタビライザ５１が両案内溝２２と対応位置せずにハウジング２０の後端に干渉して、端子金具４０のキャビティ２１内への挿入動作が規制されるようになっている。
【００１５】
バレル部４２、４３は、図１に示すように、電線１００の端末部において被覆１１０の除去によって露出する芯線に圧着により接続されるワイヤバレル４２と、ワイヤバレル４２の後方に位置し、電線１００の端末部における被覆１１０に嵌着されたゴム栓９０に圧着により接続されるインシュレーションバレル４３とからなる。ゴム栓９０は、電線１００の被覆１１０の外周面に弾性的に密着するとともに、キャビティ２１内に端子金具４０が正規挿入されたときにはキャビティ２１の後部の内周面に弾性的に密着し、これによってハウジング２０内を液密にシールする役割をはたす。
【００１６】
ハウジング２０の前面には、図１及び図２に示すように、バスバー装着部２４が開口して形成されている。バスバー装着部２４は、図２に示すように、各キャビティ２１間の隔壁２５を切り欠くように幅方向に延びて各キャビティ２１に連通するスリット状の凹部とされている。図示するバスバー装着部２４は、幅方向の全長に亘ってほぼ一定の深さ（前後長）で、且つハウジング２０における各キャビティ２１の前壁２６の前後厚とほぼ同じ深さで構成されている。
【００１７】
また、図１に示すように、ハウジング２０の前面におけるバスバー装着部２４の下方には、検知片装着部２７が開口して形成されている。検知片装着部２７は、バスバー装着部２４と平行して幅方向に延びるスリット状の凹部とされ、バスバー装着部２４よりも小さい高さ（上下寸法）で構成されている。具体的には検知片装着部２７は、図３に示すように、バスバー装着部２４と同じ深さで幅方向に延びる本体溝２８と、本体溝２８の後端から後方に突出する幅方向に複数の細溝２９とで構成されている。各細溝２９は、各キャビティ２１と個別に対応して各キャビティ２１に臨む位置に配置されている。
【００１８】
また、図１に示すように、ハウジング２０におけるバスバー装着部２４と検知片装着部２７との間には、幅方向に細長い樹脂部３１が介設されている。樹脂部３１は、各キャビティ２１の前壁２６の下端部を構成するものであり、検知片装着部２７の高さよりも小さい高さで薄肉の形態とされている。
【００１９】
バスバー６０は一枚の導電性金属板からなり、図１及び図２に示すように、幅方向に延びる基部６１と、基部６１の前端から後方に突出する複数のタブ６２と、基部６１の前端から略Ｕ字形に折り返されたあと各タブ６２と対向しつつ後方に突出する複数の弾性係止片６３とで構成されている。基部６１は、バスバー装着部２４にインサートにより装着されて、ハウジング２０内に抜け止め保持されるようになっている。
【００２０】
各タブ６２及び各弾性係止片６３は、幅方向にほぼ一定間隔をあけて並列して配置され、基部６１がバスバー装着部２４に装着された場合に、各キャビティ２１内の前端部に配置されるようになっている。また、各タブ６２及び各弾性係止片６３は、前後方向に細長く延びる形態とされている。各弾性係止片６３の前後方向途中には、係止突起６４が上方に屈曲して形成されている。係止突起６４の後面は前後方向に対する傾斜角が緩い案内面６５とされ、係止突起６４の前面は前後方向に対する傾斜角がきつい係止面６６とされている。
【００２１】
図１に示すように、各キャビティ２１内に端子金具４０が正規挿入されると、各タブ６２が接続部４１の舌片４４に弾性的に接触するとともに舌片４４と受け部４７との間に挟持され、これによって各キャビティ２１内の端子金具４０同士がバスバー６０を介して互いに短絡されるようになっている。また、各キャビティ２１内に端子金具４０が正規挿入されると、各弾性係止片６３の係止突起６４が接続部４１の係止孔４８に弾性的に嵌り込み、これによって端子金具４０がバスバー６０に係止されて、端子金具４０がキャビティ２１内から抜け出るのが規制されるようになっている。
【００２２】
続いて検知片８０について説明する。検知片８０は、一枚の導電性金属板からなり、図３に示すように、幅方向に延びる検知本体８１と、検知本体８１の後端から後方に突出する複数の突片８２とで構成されている。検知本体８１は、基部６１とほぼ同形状とされている。各突片８２は、前後方向に細長く延びる形態とされ、各弾性係止片６３とほぼ同じ前後長を有している。
【００２３】
検知片８０は、検知片装着部２７にインサートにより装着されて、ハウジング２０内に抜け止め保持される。検知本体８１は本体溝２８に収容され、各突片８２は各細溝２９に収容されるようになっている。そして、各突片８２は、各細溝２９に装着された状態で各キャビティ２１内に臨み、各弾性係止片６３に下方から対向して配置される。ここで、検知片８０は検知回路に含まれており、各弾性係止片６３が撓み変形すると、各突片８２に各弾性係止片６３が弾性的に接触し、これによって検知回路が閉成されるようになっている。
【００２４】
次に、実施例１のジョイントコネクタ１０の作用効果を説明する。
組み付けに際し、バスバー装着部２４にバスバー６０の基部６１がインサート成形して装着されるとともに、検知片装着部２７に検知片８０がインサート成形して装着される。すると、樹脂部３１の上面における前端部を除く部分にバスバー６０が前後方向に沿って密着するとともに、樹脂部３１の下面のほぼ全面に亘る範囲に検知片８０が前後方向に沿って密着する（図１を参照）。したがって、バスバー装着部２４と検知片装着部２７との間に隙間が介在することがなく、キャビティ２１内に前方から水が入り込むのが防止される。このとき、各弾性係止片６３は、前後方向にほぼ沿った自然状態に保たれ、各突片８２との間に所定のクリアランスがあけられる。
【００２５】
続いて、ハウジング２０の各キャビティ２１内に後方から端子金具４０が挿入される。端子金具４０の挿入過程では、接続部４１に前方からタブ６２が進入するとともに、接続部４１の下面が弾性係止部の係止突起６４の案内面６５を摺動して、弾性係止片６３が基部６１側を支点として下方に撓み変形させられる。すると、図４に示すように、弾性係止片６３の後端部が突片８２の後端部に弾性的に接触して、検知回路が一時的に閉じられて通電状態となる。その後、図１に示すように、端子金具４０が正規の挿入位置に至ると、弾性係止片６３が弾性的に復帰するとともに、弾性係止片６３の頂部が係止孔４８内に下方から進入し、弾性係止片６３の係止面６６が係止孔４８の前端に係止可能に対向し、もって端子金具４０がキャビティ２１内に抜け止め状態に保持される。
【００２６】
また、各端子金具４０が各キャビティ２１内に正規挿入されると、各タブ６２が各端子金具４０の舌片４４に弾性的に接触して、隣接する端子金具４０同士がバスバー６０を介して互いに短絡された状態になる。さらに、各端子金具４０に接続されたゴム栓９０が各キャビティ２１の後部に密着状態で収容されて、キャビティ２１内に後方から水が入り込むのが防止される。
【００２７】
また、端子金具４０の正規挿入時に弾性係止片６３が弾性復帰するのに伴い、弾性係止片６３が突片８２から離間して、検知回路が開かれる。一方、端子金具４０が正規の挿入位置に至らず半挿入位置に留め置かれた場合には、図４に示すように、弾性係止片６３が撓み変形したままの状態で突片８２と当接する状態が維持される。このため、検知回路が閉じられ、端子金具４０が半挿入状態にあることを電気的に検知することが可能となっている。
【００２８】
以上説明したように、実施例１によれば、端子金具４０がバスバー６０の弾性係止片６３によってキャビティ２１内に抜け止め保持される。このため、ハウジング２０にランス及びランス成形用の型抜き孔等を設ける必要がなく、その分、ハウジング２０及びハウジング２０を成形する金型の構造を簡素化することができる。しかも、弾性係止片６３がバスバー６０に曲げ成形されるに過ぎないから、バスバー６０の構造も格別複雑になることがない。
【００２９】
また、ハウジング２０に検知片８０が装着され、検知片８０の突片８２が弾性係止片６３とその撓み方向で対向して配置され、端子金具４０がキャビティ２１内に半挿入状態で置かれた場合には、撓み状態にある弾性係止片６３が突片８２と接触して検知回路が閉成され、端子金具４０がキャビティ２１内に正規挿入された場合には、撓み状態を解除した弾性係止片６３が突片８２から離間して検知回路が開成されるため、端子金具４０の挿入状態を簡単な構成で電気的に検知することができる。
【００３０】
さらに、ハウジング２０には、バスバー６０及び検知片８０がそれぞれ装着されるバスバー装着部２４及び検知片装着部２７が開口して形成され、且つバスバー装着部２４と検知片装着部２７との間に、樹脂部３１が介在しているため、バスバー６０及び検知片８０が不用意に短絡するのが回避されるとともに、ハウジング２０内への水の浸入が阻止される。
【００３１】
本発明は上記記述及び図面によって説明した態様に限定されず、例えば次のような態様であってもよい。
（１）バスバーの各タブは、短絡パターンに応じて配置されていればよく、全キャビティ内に対応して配置される必要はない。
（２）バスバー装着部にバスバーが所定の係止手段を介して圧入により装着されるものであってもよい。同様に、検知片装着部に検知片が圧入により装着されるものであってもよい。
（３）場合によっては検知片を省略してもよい。その場合、弾性係止片が撓み動作の過程で端子金具以外のものに当接しないようにすることができる。
【符号の説明】
【００３２】
１０…ジョイントコネクタ
２０…ハウジング
２１…キャビティ
２４…バスバー装着部
２７…検知片装着部
３１…樹脂部
４０…端子金具
６０…バスバー
６２…タブ
６３…弾性係止片
８０…検知片
８２…突片 
【図１】
2013254596.tif 000003
【図２】
2013254596.tif 000004
【図３】
2013254596.tif 000005
【図４】
2013254596.tif 000006